(57)【特許請求の範囲】
【請求項１】
クレセントの皿のフランジがクレセント受のフックに係合することで施錠するクレセント錠において、
前記クレセント受は、板状体に開口窓を形成し、該開口窓を境とした左右方向一端部分に前記フックを設け、他端部分を取付部とし、
前記フックは、前記板状体の開口窓の左右方向一端面に一体的に設けた係止片と、この一端面における係止片よりも上方と下方にそれぞれ一体的に設けた上下の受片で構成し、
前記クレセント錠が施錠状態の時には、前記フランジの先端面が前記上下の受片の表面に亘って接すると共に、該フランジの内面が前記係止片の外面に接してフックとフランジが係合するようにし、
前記上下の受片間の上下寸法が係止片の上下寸法よりも大きく、
前記上下の受片は前記板状体の厚さ方向背面側に向かう方向に突出し、かつその上下の受片の表面と板状体の正面でなすコーナー部を円弧面とし、前記フランジの先端面が前記コーナー部に接しながら移動して前記フックに係合するようにしたことを特徴とするクレセント錠。
【発明の詳細な説明】
【技術分野】
【０００１】
本発明は、引き違いサッシ窓、片引きサッシ窓などに用いるクレセント錠に関する。
【背景技術】
【０００２】
特許文献１に開示されたクレセント錠が知られている。
このクレセント錠は、図７に示すように室内側障子１の召合せ框２に取付けたクレセント３と、室外側障子４の召合せ框５に取付けたクレセント受６を備えている。
前記クレセント３は取付座１０に皿１１を回転自在に取付けると共に、その皿１１をレバー１２で回転する形状で、その皿１１は略半円形の基板１３の円弧面に沿って円弧形状のフランジ１４を一体的に設けた形状である。
前記クレセント受６は図７、図８に示すように、板状体２０に開口窓２１を形成し、この開口窓２１の左右方向の一端面２１ａにフック２２を一体的に設け、剛性大のクレセント受としてある。
前記フック２２は、開口窓２１の一端面２１ａに一体的に設け、かつ板状体２０よりも室内側に向けて折曲した受片２３と、この受片２３の突出端部と一体的に設け、かつ板状体２０と略平行に左右他方向に向けて折曲した係止片２４で鉤形状である。
前記受片２３の上下寸法が係止片２４の上下寸法よりも大きい。
そして、前記クレセント３の皿１１を回転することで、フランジ１４の先端面１４ａが受片２３の表面２３ａに接し、フランジ１４の内面１４ｂが係止片２４の外面２４ａに接して皿１１がフック２２に係合して施錠する。
【０００３】
前述のクレセント錠によれば、係止片２４の上下寸法が小さいので、皿１１のフランジ１４の内面１４ｂが係止片２４の外面２４ａに略均一に接する。つまり、フランジ１４は円弧形状であるから係止片２４の上下寸法が大きいと均一に接しなくなる。
また、受片２３の上下寸法が大きいので、フランジ１４の先端面１４ａが受片２３の表面２３ａから外れる時のクレセント３とクレセント受６の後述する変位の角度を大きくできる。
つまり、前述のクレセント錠においては、施錠状態において室内側障子１と室外側障子４が強風雨などによって平面略Ｖ字形状に変位した時に、クレセント３の皿１１とクレセント受６のフック２２も平面略Ｖ字形状に変位し、その変位の角度が大きくなるとフランジ１４の先端面１４ａが受片２３の表面２３ａから外れようとするが、前述のように受片２３の上下寸法が大きいので、フランジ１４の先端面１４ａが受片２３の表面２３ａから外れる時の変位の角度が大きい。
【０００４】
【特許文献１】特開２００１−２０７６９９号公報
【発明の開示】
【発明が解決しようとする課題】
【０００５】
前述の従来のクレセント錠は、そのクレセント受６のフック２２が板状体２０よりも室内側に向けて突出した受片２３と、この受片２３の突出端部に一体的に設け板状体２０と平行な係止片２４で鉤形状に折り曲げ加工したもので、その受片２３の上下寸法が係止片２４の上下寸法よりも大きいので、受片２３の突出端面２３ｂが室内側に向う。
一方、クレセント３の皿１１はクレセント受６よりも室内側からフック２２に向けて回転することで、そのフランジ１４の先端面１４ａ、内面１４ｂが受片２３の表面２３ａ、係止片の外面２４ａに接することでフランジ１４がフック２２に係合して施錠状態となる。
【０００６】
このために、フランジ１４がフック２２に係合する時に、フランジ１４の先端面１４ａが受片２３における表面２３ａと突出端面２３ｂでなすコーナーエッジ部２３ｃに接しながら移動するため、クレセント３のフランジ１４をフック２２に係合する時に金属と金属とがこすれ合うような耳障りな音が生じると共に、フランジ１４がスムーズに移動せずにクレセントの操作感覚が悪いものとなる。
特に、前述のフック２２は板状体２０を折り曲げ加工して形成していると共に、受片２３の突出長さが短かいので、その受片２３を板状体２０に対して正しく直角に折り曲げることは大変困難であり、図７に示すように受片２３は直角に対して左右他方側（フランジ１４側）に向けて斜めとなるので、前述のコーナーエッジ部２３ｃにフランジ１４の先端面１４ａが接し易くなってしまう。
【０００７】
本発明の目的は、フランジの内面と係止片の外面が略均一に接すると共に、フランジの先端面が受片の表面から外れる時の変位の角度が大きく、クレセントのフランジがフックに係合する時に耳障りな音が生じないと共に、クレセントの操作感覚を良くできるようにしたクレセント錠を提供することである。
【課題を解決するための手段】
【０００８】
本発明は、クレセントの皿のフランジがクレセント受のフックに係合することで施錠するクレセント錠において、
前記クレセント受は、板状体に開口窓を形成し、該開口窓を境とした左右方向一端部分に前記フックを設け、他端部分を取付部とし、
前記フックは、前記板状体の開口窓の左右方向一端面に一体的に設けた係止片と、この一端面における係止片よりも上方と下方にそれぞれ一体的に設けた上下の受片で構成し、前記クレセント錠が施錠状態の時には、前記フランジの先端面が前記上下の受片の表面に亘って接すると共に、該フランジの内面が前記係止片の外面に接してフックとフランジが係合するようにし、
前記上下の受片間の上下寸法が係止片の上下寸法よりも大きく、
前記上下の受片は前記板状体の厚さ方向背面側に向かう方向に突出し、かつその上下の受片の表面と板状体の正面でなすコーナー部を円弧面とし、前記フランジの先端面が前記コーナー部に接しながら移動して前記フックに係合するようにしたことを特徴とするクレセント錠である。
【発明の効果】
【００１１】
本発明によれば、クレセントの皿のフランジの内面が係止片の外面に接すると共に、フランジの先端面が受片の表面に接することでフランジとフックが係合して施錠する。
前記係止片の上下寸法が小さいからフランジの内面が係止片の外周に略均一に接する。
また、前記受片の上下寸法が大きいので、フランジの先端面が受片の表面から外れる時の変位の角度が大きい。
また、フランジの先端面が、受片の表面と板状体の正面でなす円弧面のコーナー部に接しながら移動してフランジがフックに係合するので、フランジがフックに係合する時に金属と金属がこすれ合うような耳障りな音が生じないと共に、フランジはスムーズに移動するから、クレセントの操作感覚を良くできる。
しかも、フランジの内面が係止片の外面に接し、この接している部分を境として上方、下方のフランジの先端面が上、下の受片の表面に亘ってそれぞれ接するので、フランジとフックがしっかりと係合する。
【発明を実施するための最良の形態】
【００１２】
本発明のクレセント錠は、前述した従来のクレセント錠と同様にクレセントとクレセント受を備えている。そのクレセントは従来のクレセントと同様で、クレセント受は従来のクレセント受と同様であるがフック部分の形状が相違する。
以下、図１〜図６に基づいて本発明のクレセント受の実施の形態を説明する。なお、従来と同一部材は符号を同一とする。
クレセント受６は板状体２０に開口窓２１を形成し、その開口窓２１を境とした左右方向一端部分にフック２２を設け、他端部分を取付部６ａとしてある。前記フック２２は開口窓２１の左右方向一端面２１ａよりそれぞれ一体的に設けられた受片２３と係止片２４で構成してある。
このフック２２を板状体２０の上下方向から見た時に受片２３と係止片２４が鉤形状となるようにしてある。
【００１３】
前記受片２３は、開口窓２１の一端面２１ａに一体的に設けられ、かつ板状体２０の厚さ方向背面２０ａ側に向う方向（つまり、障子に取付けた時に室外側に向う方向）に突出し、その突出端面２３ｂは板状体２０の背面２０ａよりも突出している。
この受片２３の表面（開口窓２１の左右方向の他端面２１ｂに向う面）２３ａと板状体２０の正面２０ｂ（つまり、障子に取付けた時に室内側に向う面）でなすコーナー部２３ｄは円弧面となっている。
前記係止片２４は開口窓２１の一端面２１ａに一体的に設けられ、かつ左右方向の他端面２１ｂに向けて突出している。この係止片２４は受片２３の表面２３ａよりも張り出している。
前記受片２３の上下寸法は大きく、係止片２４の上下寸法は小さく、受片２３の上下寸法は係止片２４よりも大きい。たとえば、前記受片２３は係止片２４の上方位置と下方位置にそれぞれ設けてあり、この上下の受片２３間の上下寸法Ｈ１は係止片２４の上下寸法Ｈ２よりも大きい。
【００１４】
前記クレセント受６とクレセント３は図７に示す従来と同様に取付けられる。
【００１５】
そして、図６に示す施錠状態の時には、クレセント３の皿１１のフランジ１４の先端面１４ａにおける後述する内面１４ｂと係止片２４の外面２４ａの接する部分を境とした上下部分が上下の受片２３の表面２３ａに亘って接し、そのフランジ１４の内面１４ｂが係止片２４の外面（取付け状態で室外側に向う面）２４ａに接することでフランジ１４がフック２２に係合して施錠する。
【００１６】
また、クレセント３の皿１１を回転してフランジ１４をフック２２に係合する時に、フランジ１４の先端面１４ａが受片２３の表面２３ａと板状体２０の正面２０ｂでなす円弧面のコーナー部２３ｄに接しながら移動するので、金属と金属がこすれ合うような耳障りな音が生じないと共に、フランジ１４はコーナー部２３ｄに接しながらスムーズに移動し、クレセント３の操作感覚を良いものにできる。
【００１７】
次に、各部材の具体形状を説明する。
前記上下の受片２３の表面２３ａは、上の受片２３の表面２３ａと下の受片２３の表面２３ａが１つの円弧を連続して描くように上下方向に円弧状に湾曲している。
前記係止片２４の外面２４ａは上下方向に円弧状に湾曲している。例えば、係止片２４と板状体２０の左右方向一端部分２０ｃを背面２０ａに向けて円弧状に湾曲加工してある。
【００１８】
この実施の形態では板状体２０の左右一端面２０ｄと連続して折曲片３０が背面２０ａに向けて形成してある。
この折曲片３０と前記受片２３は相対向し、前述の板状体２０の左右方向一端部分２０ｃと折曲片３０と受片２３でコ字形状となっている。
このようにすることで、前述の受片２３を折り曲げ加工する時に折曲片３０も同時に折り曲げ加工することによって前述のコ字形状に折り曲げ加工できるから、受片２３を寸法精度良く、確実に折り曲げ加工できる。
【図面の簡単な説明】
【００１９】
【図１】本発明の実施の形態を示すクレセント受の正面図である。
【図２】本発明の実施の形態を示すクレセント受の背面図である。
【図３】図１のＡ−Ａ拡大断面図である。
【図４】図１のＢ−Ｂ拡大断面図である。
【図５】クレセント受の斜視図である。
【図６】フランジとフックの係合状態の説明図である。
【図７】従来のクレセント錠の取付け状態の説明図である。
【図８】フランジとフックの係合状態の説明図である。
【符号の説明】
【００２０】
３…クレセント、１１…皿、１４…フランジ、１４ａ…先端面、１４ｂ…内面、６…クレセント受、２０…板状体、２１…開口窓、２１ａ…一端面、２２…フック、２３…受片、２３ａ…表面、２３ｄ…コーナー部、２４…係止片、２４ａ…外面。
【図１】
0004471218.tif 000002
【図２】
0004471218.tif 000003
【図３】
0004471218.tif 000004
【図４】
0004471218.tif 000005
【図５】
0004471218.tif 000006
【図６】
0004471218.tif 000007
【図７】
0004471218.tif 000008
【図８】
0004471218.tif 000009